(57)【要約】【課題】利便性の向上を図ることが可能なネットワーク制御システムを提供する。【解決手段】ネットワーク制御システムは、自機の状態を検出するセンサを備える通信機器と、ネットワークケーブルが接続されるポート、及びポートの使用を制限する指令を受けるとポートの使用を制限する処理部を備えるネットワーク中継装置と、通信機器の状態とポートの使用可否との予め定められた関係に基づいて、センサにより検出された通信機器の状態に応じたポートの使用可否を判定する使用可否判定部と、ポートの使用が否定された場合に、ポートの使用を制限する指令をネットワーク中継装置に送信するネットワーク管理部と、を備える。【選択図】図３
2019213049.tif 000002
【特許請求の範囲】
【請求項１】
自機の状態を検出するセンサを備える通信機器と、
ネットワークケーブルが接続されるポート、及び前記ポートの使用を制限する指令を受けると前記ポートの使用を制限する処理部を備えるネットワーク中継装置と、
前記通信機器の状態と前記ポートの使用可否との予め定められた関係に基づいて、前記センサにより検出された前記通信機器の状態に応じた前記ポートの使用可否を判定する使用可否判定部と、
前記ポートの使用が否定された場合に、前記ポートの使用を制限する指令を前記ネットワーク中継装置に送信するネットワーク管理部と、
を備える、
ネットワーク制御システム。
【請求項２】
前記処理部は、前記ポートの使用を制限する指令を受けると、前記ポートを介したパケットの中継を制限する、
請求項１に記載のネットワーク制御システム。
【請求項３】
前記ネットワーク中継装置は、前記ネットワークケーブルを介して電力を供給する電力供給部を備え、
前記処理部は、前記ポートの使用を制限する指令を受けると、前記電力供給部による電力の供給を制限する、
請求項１または２に記載のネットワーク制御システム。
【請求項４】
前記センサは、前記通信機器の状態として位置を検出し、
前記使用可否判定部は、前記通信機器の位置に応じた前記ポートの使用可否を判定する、
請求項１ないし３の何れかに記載のネットワーク制御システム。
【請求項５】
前記センサは、前記通信機器に設けられた操作部に対するユーザの操作を検出し、
前記使用可否判定部は、前記ユーザの操作に応じた前記ポートの使用可否を判定する、
請求項１ないし３の何れかに記載のネットワーク制御システム。
【請求項６】
前記センサは、前記ネットワークケーブルを介して電力が供給される受電機器の稼働状態を検出し、
前記使用可否判定部は、前記受電機器の稼働状態に応じた前記ポートの使用可否を判定する、
請求項３に記載のネットワーク制御システム。
【請求項７】
前記ネットワーク管理部は、前記ポートの使用が許可された場合に、前記ポートの使用を許可する指令を前記ネットワーク中継装置に送信し、
前記ネットワーク中継装置の前記処理部は、前記ポートの使用を許可する指令を受けると、前記ポートの使用を許可する処理を実行する、
請求項１ないし６に記載のネットワーク制御システム。
【請求項８】
センサを備える通信機器の状態とネットワーク管理装置に備えられたネットワークケーブルが接続されるポートの使用可否との予め定められた関係に基づいて判定された、前記センサにより検出された前記通信機器の状態に応じた前記ポートの使用可否の判定結果を取得する判定結果取得部と、
前記ポートの使用が否定された場合に、前記ポートの使用を制限する指令を前記ネットワーク中継装置に送信する指令送信部と、
を備えるネットワーク管理装置。
【請求項９】
前記ポートの使用可否の判定結果が中継部に保持され、
前記判定結果取得部は、前記中継部から前記ポートの使用可否の判定結果を取得する、
請求項８に記載のネットワーク管理装置。
【請求項１０】
センサを備える通信機器の状態とネットワーク管理装置に備えられたネットワークケーブルが接続されるポートの使用可否との予め定められた関係に基づいて判定された、前記センサにより検出された前記通信機器の状態に応じた前記ポートの使用可否の判定結果を取得し、
前記ポートの使用が否定された場合に、前記ポートの使用を制限する指令を前記ネットワーク中継装置に送信する、
ネットワーク管理方法。
【発明の詳細な説明】
【技術分野】
【０００１】
本発明は、ネットワーク制御システム、ネットワーク管理装置、及びネットワーク管理方法に関する。
【背景技術】
【０００２】
特許文献１には、１以上の遠隔照明ユニットから１以上の通信ネットワークを介して前記１以上の遠隔照明ユニットに関連する１以上の識別子を取得し、前記１以上の遠隔照明ユニットの各々から前記１以上の通信ネットワークを介して少なくとも１つの他の遠隔照明ユニットに関連する照明動作パラメータを取得し、動作不能な照明ユニットに関連する照明動作パラメータに従って前記１以上の光源を選択的に駆動する、照明ユニットが開示されている。
【先行技術文献】
【特許文献】
【０００３】
【特許文献１】特表２０１７−５２８８９５号公報
【発明の概要】
【発明が解決しようとする課題】
【０００４】
ところで、ネットワーク中継装置のポートの使用を状況に応じて適宜制御できたら便利である。
【０００５】
本発明は、上記課題に鑑みてなされたものであり、その主な目的は、利便性の向上を図ることが可能なネットワーク制御システム、ネットワーク管理装置、及びネットワーク管理方法を提供することにある。
【課題を解決するための手段】
【０００６】
上記課題を解決するため、本発明の一の態様のネットワーク制御システムは、自機の状態を検出するセンサを備える通信機器と、ネットワークケーブルが接続されるポート、及び前記ポートの使用を制限する指令を受けると前記ポートの使用を制限する処理部を備えるネットワーク中継装置と、前記通信機器の状態と前記ポートの使用可否との予め定められた関係に基づいて、前記センサにより検出された前記通信機器の状態に応じた前記ポートの使用可否を判定する使用可否判定部と、前記ポートの使用が否定された場合に、前記ポートの使用を制限する指令を前記ネットワーク中継装置に送信するネットワーク管理部と、を備える。
【０００７】
また、本発明の他の態様のネットワーク管理装置は、センサを備える通信機器の状態とネットワーク管理装置に備えられたネットワークケーブルが接続されるポートの使用可否との予め定められた関係に基づいて判定された、前記センサにより検出された前記通信機器の状態に応じた前記ポートの使用可否の判定結果を取得する判定結果取得部と、前記ポートの使用が否定された場合に、前記ポートの使用を制限する指令を前記ネットワーク中継装置に送信する指令送信部と、を備える。
【０００８】
また、本発明の他の態様のネットワーク管理方法は、センサを備える通信機器の状態とネットワーク管理装置に備えられたネットワークケーブルが接続されるポートの使用可否との予め定められた関係に基づいて判定された、前記センサにより検出された前記通信機器の状態に応じた前記ポートの使用可否の判定結果を取得し、前記ポートの使用が否定された場合に、前記ポートの使用を制限する指令を前記ネットワーク中継装置に送信する。
【発明の効果】
【０００９】
本発明によれば、利便性の向上を図ることが可能である。
【図面の簡単な説明】
【００１０】
【図１】実施形態に係るネットワーク制御システムの構成例を示す図である。
【図２】ネットワーク中継装置のハードウェア構成例を示すブロック図である。
【図３】判定サーバ及びネットワーク管理装置の機能構成例を示すブロック図である。
【図４】アプレットデータベースの例を示す図である。
【図５】ネットワークデータベースの例を示す図である。
【図６】第１具体例を説明するための図である。
【図７】第１具体例を示すシーケンス図である。
【図８】第２具体例を説明するための図である。
【図９】第２具体例を示すシーケンス図である。
【図１０】第３具体例を説明するための図である。
【図１１】第３具体例を示すシーケンス図である。
【発明を実施するための形態】
【００１１】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１２】
図１は、実施形態に係るネットワーク制御システム１の構成例を示す図である。ネットワーク制御システム１は、通信機器２、判定サーバ４、ネットワーク管理装置５、及びネットワーク中継装置３を備えている。
【００１３】
通信機器２は、インターネット（ワイドエリアネットワーク）に接続された無線通信機器である。通信機器２は、例えばスマートフォン、タブレット型コンピュータ又はラップトップ型コンピュータ等の携帯情報端末であってもよいし、その他の無線通信機器であってもよい。また、通信機器２は、有線通信機器であってもよい。
【００１４】
通信機器２は、通信機器２の状態を検出するセンサ２１を備えており、センサ２１により検出された通信機器２の状態を表す情報を判定サーバ４に送信する。センサ２１は、例えばＧＮＳＳ（Global Navigation Satellite System）センサ等の通信機器２の現在位置を検出する位置センサであってもよいし、その他のセンサであってもよい。
【００１５】
判定サーバ４は、インターネットに接続されたサーバコンピュータである。判定サーバ４では、例えばＨＴＴＰデーモンが起動されており、ＨＴＴＰデーモンによってＨＴＴＰリクエストが受け付けられ、当該ＨＴＴＰリクエストに応じた処理が実行される。通信機器２は、通信機器２の状態を表す情報をＨＴＴＰリクエストの形で判定サーバ４に送信する。
【００１６】
ネットワーク管理装置５及びネットワーク中継装置３は、ＬＡＮ（ローカルエリアネットワーク）に接続されている。ＬＡＮは、ルータ６を介してインターネットに接続されている。
【００１７】
ネットワーク管理装置５は、ＬＡＮに接続されているネットワーク中継装置３及びアクセスポイント７２等のネットワーク機器を管理する。具体的には、ネットワーク管理装置５は、ＳＮＭＰ（Simple Network Management Protocol）マネージャとして機能する。ネットワーク管理装置５は、パーソナルコンピュータであってもよいし、サーバコンピュータであってもよい。なお、ＳＮＭＰプロトコルを使用する態様に限らず、ＨＴＴＰ等の多のプロトコルを使用してもよい。
【００１８】
ネットワーク中継装置３は、ネットワークケーブルが接続される複数のポート３１を有している。ポート３１には、パーソナルコンピュータ等の端末７１やアクセスポイント７２などが接続される。ネットワーク中継装置３は、例えばスイッチングハブ（レイヤ２スイッチ）である。
【００１９】
図２は、ネットワーク中継装置３のハードウェア構成例を示す図である。ネットワーク中継装置３は、ＣＰＵ３３、メモリ３４、スイッチコントローラ３５、及び電力供給部３６を備えている。
【００２０】
スイッチコントローラ３５は、複数のポート３１の一のポートと他のポートとをブリッジする。メモリ３４は、各ポート３１に接続された端末７１のＭＡＣアドレスのテーブルを保持しており、スイッチコントローラ３５は、受信したパケットに含まれる宛先アドレスに対応するポートを、メモリ３４が保持するテーブルを参照することにより特定し、特定したポートにパケットを送信する。
【００２１】
ＣＰＵ３３は、ネットワーク管理装置５からの指令に応じた処理を実行する処理部である。具体的には、ＣＰＵ３３は、ＳＮＭＰエージェントとして機能するためのプログラムを実行している。これにより、ネットワーク中継装置３は、ＳＮＭＰエージェントとしての機能を有する所謂インテリジェントハブとなる。
【００２２】
電力供給部３６は、電源からの電力を電力供給兼用のポート３２に出力し、ネットワークケーブルを介した電力供給、所謂ＰｏＥ（Power over Ethernet）を実現する。図１に示す例では、ネットワーク中継装置３は、電力供給兼用のポート３２に接続されたアクセスポイント７２に電力を供給している。
【００２３】
ＣＰＵ３３は、ネットワーク管理装置５からの指令を受けると、指定されたポート３１の使用を制限する等の処理を実行する。具体的には、ＣＰＵ３３は、ネットワーク管理装置５から特定のポート３１の使用を制限する指令を受けると、指定されたポート３１を介したパケットの中継を制限する。また、ＣＰＵ３３は、ネットワーク管理装置５から電力供給兼用のポート３２の電力供給を制限する指令を受けると、電力供給部３６によるネットワークケーブルを介した電力供給を停止する。
【００２４】
図３は、判定サーバ４及びネットワーク管理装置５の機能構成例を示す図である。
【００２５】
判定サーバ４は、機器状態取得部４１、使用可否判定部４２、判定結果出力部４３、及び中継部４４を備えている。これらの機能部は、判定サーバ４のＣＰＵがＲＯＭ又は不揮発性メモリからＲＡＭにロードされたプログラムに従って情報処理を実行することにより実現する。また、判定サーバ４は、アプレットＤＢ（データベース）４５を備えている。アプレットＤＢ４５は、判定サーバ４の外部に設けられてもよい。
【００２６】
ネットワーク管理装置５は、判定結果取得部５１、指令生成部５２、及び指令送信部５３を備えている。これらの機能部は、ネットワーク管理装置５のＣＰＵがＲＯＭ又は不揮発性メモリからＲＡＭにロードされたプログラムに従って情報処理を実行することにより実現する。また、ネットワーク管理装置５は、ネットワークＤＢ５４を備えている。ネットワークＤＢ５４は、ネットワーク管理装置５の外部に設けられてもよい。
【００２７】
プログラムは、例えば光ディスク又はメモリカード等の情報記憶媒体を介して供給されてもよいし、例えばインターネット等の通信ネットワークを介して供給されてもよい。
【００２８】
機器状態取得部４１は、通信機器２のセンサ２１により検出された通信機器２の状態を表す情報を取得する。通信機器２の状態を表す情報には、通信機器２の識別情報が関連付けられている。
【００２９】
使用可否判定部４２は、通信機器２の状態に応じたネットワーク中継装置３のポート３１の使用可否を判定する。アプレットＤＢ４５は、通信機器２の状態とポート３１の使用可否との関係を表す情報を記憶しており、使用可否判定部４２は、通信機器２の状態に応じたポート３１の使用可否の判定結果をアプレットＤＢ４５から読み出す。
【００３０】
図４は、アプレットＤＢ４５の例を示す図である。アプレットＤＢ４５は、例えば「機器ＩＤ」、「条件」、「動作」、「出力先」のフィールドを含んでいる。「機器ＩＤ」は、通信機器２の識別情報を表す。「条件」は、「動作」を実行するための通信機器２の状態に係る条件（トリガー）を表す。「動作」は、「条件」を満たしたときに実行するポート３１の使用可否に係る動作を表す。「出力先」は、判定結果の出力先を表す。
【００３１】
各エントリーは、図に示すようにテーブル形式でまとめて保存されてもよいし、個別のアプレット（プログラム）として保存されてもよい。
【００３２】
「条件」は、例えば、通信機器２の現在位置に係る条件であってもよいし、通信機器２が受けた操作に係る条件であってもよい。また、通信機器２の状態に係る条件と時間に係る条件とを組み合わせた条件であってもよい。
【００３３】
「動作」は、例えば、ネットワーク中継装置３のポート３１の使用を制限又は許可する動作であってもよいし、電力供給兼用のポート３２による電力供給を停止する動作であってもよい。「動作」には、ネットワーク中継装置３及びポート３１を特定する情報も含まれる。
【００３４】
使用可否判定部４２は、通信機器２の状態が満たした「条件」に対応する「動作」をポート３１の使用可否の判定結果として読み出す。
【００３５】
図３の説明に戻り、判定結果出力部４３は、ポート３１の使用可否の判定結果を中継部４４に出力し、中継部４４はそれを保持する。ネットワーク管理装置５の判定結果取得部５１は、中継部４４からポート３１の使用可否の判定結果を取得する。
【００３６】
具体的には、ポート３１の使用可否の判定結果は、ＭＱＴＴ（Message Queueing Telemetry Transport）プロトコルを使用して送受信される。すなわち、判定結果出力部４３がメッセージの出版者（Publisher）、中継部４４が仲介者（Broker）、判定結果取得部５１がメッセージの購読者（Subscriber）として機能する。中継部４４は、別のサーバコンピュータによって実現されてもよい。これに限らず、ＡＭＱＴ（Advanced Message Queuing Protocol）プロトコル等の他のメッセージキュープロトコルを使用してもよい。
【００３７】
指令生成部５２は、判定結果取得部５１が取得したポート３１の使用可否の判定結果に基づいて、ネットワーク中継装置３に対する指令を生成する。
【００３８】
具体的には、指令生成部５２は、判定結果がネットワーク中継装置３のポート３１の使用を制限又は許可する動作である場合、指定されたネットワーク中継装置３のポート３１の使用を制限又は許可する指令を生成する。また、指令生成部５２は、判定結果が電力供給兼用のポート３２による電力供給を停止する動作である場合、指定された電力供給兼用のポート３２による電力供給を停止する指令を生成する。
【００３９】
指令生成部５２は、対象となるネットワーク中継装置３のアドレス及びポート３１の使用情報等をネットワークＤＢ５４から読み出す。図５に示すように、ネットワークＤＢ５４は、例えば「装置ＩＤ」、「装置アドレス」、「ポートＮｏ．」、「接続端末アドレス」、「電源供給」のフィールドを含んでいる。
【００４０】
「装置ＩＤ」は、ネットワーク中継装置３の識別情報である。「装置アドレス」は、ネットワーク中継装置３のＩＰアドレス等のアドレスを表す。「ポートＮｏ．」は、ポート３１の番号を表す。「接続端末アドレス」は、ポート３１に接続された端末７１のＭＡＣアドレス等のアドレスを表す。「電源供給」は、電力供給兼用のポート３２であるか否かを表す。
【００４１】
指令生成部５２は、判定結果において指定されたネットワーク中継装置３のアドレスをネットワークＤＢ５４の「装置アドレス」から読み出す。また、指令生成部５２は、指定されたポート３１の現在の使用の有無をネットワークＤＢ５４の「接続端末アドレス」から判断した上で、指令を作成してもよい。
【００４２】
図３の説明に戻り、指令送信部５３は、指令生成部５２が生成した指令を、対象となるネットワーク中継装置３に送信する。具体的には、指令送信部５３は、ＳＮＭＰ（Simple Network Management Protocol）の Set Request コマンドとして生成された指令を、ＳＮＭＰエージェントであるネットワーク中継装置３に送信する。なお、ＳＮＭＰプロトコルを使用する態様に限らず、ＨＴＴＰ等の多のプロトコルを使用してもよい。
【００４３】
ネットワーク中継装置３は、ネットワーク管理装置５から指令を受けると、指令に応じた処理を実行する。具体的には、ネットワーク中継装置３は、ポート３１の使用を制限又は許可する指令を受けると、指定されたポート３１を介したパケットの中継を制限又は許可する。また、ネットワーク中継装置３は、電力供給兼用のポート３２の電力供給を制限する指令を受けると、電力供給兼用のポート３２の電力供給を停止する。
【００４４】
なお、以上に説明した実施形態では、使用可否判定部としての判定サーバ４と、ネットワーク管理部としてのネットワーク管理装置５とが個別に設けられた例について説明したが、これに限らず、使用可否判定部及びネットワーク管理部が１つのコンピュータによって実現されてもよい。
【００４５】
［第１具体例］
以下、第１具体例について説明する。図６及び図７は、第１具体例を説明するための図である。
【００４６】
図６に示すように、第１具体例では、拠点Ａに普段居るユーザが通信機器２としての端末７１を持って拠点Ｂに出張する場合を例とする。通信機器２のセンサ２１は、位置センサである。拠点Ａと拠点Ｂは、例えばＶＰＮ（Virtual Private Network）により拠点間接続がなされているものとする。このため、ネットワーク管理装置５は、拠点Ａのネットワーク中継装置３だけでなく、拠点Ｂのネットワーク中継装置３も管理可能である。
【００４７】
図７に示すように、まず、通信機器２は、センサ２１により検出した現在位置を判定サーバ４に送信する（Ｓ１１）。
【００４８】
判定サーバ４は、通信機器２が拠点Ａ外にある場合、通信機器２が拠点Ａ外にあるとの条件に対応する動作、ここでは拠点Ａのネットワーク中継装置３のユーザが普段使用するポートＰ１の使用を制限する動作（図４のＮｏ．１を参照）、を判定結果としてアプレットＤＢ４５から読み出し、ネットワーク管理装置５に送信する（Ｓ２１）。
【００４９】
ネットワーク管理装置５は、判定サーバ４から受信した判定結果に基づき、拠点Ａのネットワーク中継装置３のポートＰ１の使用を制限する指令を生成し、拠点Ａのネットワーク中継装置３に送信する（Ｓ３１）。拠点Ａのネットワーク中継装置３は、ネットワーク管理装置５から受信した指令に基づき、ポートＰ１の使用を制限する（Ｓ４１）。
【００５０】
このように、ユーザが使用する端末７１が拠点Ａにない場合に、当該端末７１が普段使用するポートＰ１を使用できなくすることにより、利便性とともにセキュリティの向上を図ることが可能となる。
【００５１】
また、判定サーバ４は、通信機器２が拠点Ｂにある場合、通信機器２が拠点Ｂにあるとの条件に対応する動作、ここでは拠点Ｂのネットワーク中継装置３の来訪者用のポートＰＢの使用を許可する動作（図４のＮｏ．２を参照）、を判定結果としてアプレットＤＢ４５から読み出し、ネットワーク管理装置５に送信する（Ｓ２２）。
【００５２】
ネットワーク管理装置５は、判定サーバ４から受信した判定結果に基づき、拠点Ｂのネットワーク中継装置３のポートＰＢの使用を許可する指令を生成し、拠点Ｂのネットワーク中継装置３に送信する（Ｓ３２）。拠点Ｂのネットワーク中継装置３は、ネットワーク管理装置５から受信した指令に基づき、ポートＰＢの使用を制限する（Ｓ４２）。
【００５３】
このように、ユーザが使用する端末７１が拠点Ｂにある場合に、拠点Ｂのネットワーク中継装置３のポートＰＢを使用できるようにすることにより、利便性とともにセキュリティの向上を図ることが可能となる。
【００５４】
なお、本例では、ネットワーク管理装置５が拠点Ａと拠点Ｂの両方のネットワーク中継装置３を管理する態様を説明したが、これに限らず、拠点Ａと拠点Ｂのそれぞれにネットワーク管理装置５を設けて、判定サーバ４が判定結果の送信先を、対象となるネットワーク中継装置３の設置場所に応じて選択してもよい。
【００５５】
［第２具体例］
以下、第２具体例について説明する。図８及び図９は、第２具体例を説明するための図である。
【００５６】
図８に示すように、第２具体例では、通信機器２が操作部２３に対するユーザの操作を受け付け、操作検出信号を送信する。具体的には、通信機器２はキーシリンダ２２を備えており、センサ２１は、キーシリンダ２２の鍵穴２ａに挿入されたキー型の操作部２３の回転を検出するシリンダスイッチ（リードスイッチ）である。
【００５７】
図示の例では、ルームＡにネットワーク管理装置５及び通信機器２が配置され、ルームＢにネットワーク中継装置３及びアクセスポイント７２が配置されている。ルームＡは、例えば職員室や守衛室などの施設管理者のための部屋であり、ルームＢは、例えば教室や体育館、会議室などの施設利用者が利用する部屋である。
【００５８】
図９に示すように、まず、通信機器２は、センサ２１が操作部２３に対するユーザの操作を検出した場合に、操作検出信号を判定サーバ４に送信する（Ｓ１３）。操作検出信号は、ＬＡＮからルータ６を経由して判定サーバ４に送信されてもよい。
【００５９】
判定サーバ４は、通信機器２から操作検出信号を受信すると、通信機器２において操作がなされたとの条件に対応する動作、ここではアクセスポイント７２の電力供給を停止する動作（図４のＮｏ．４を参照）、を判定結果としてアプレットＤＢ４５から読み出し、ネットワーク管理装置５に送信する（Ｓ２３）。
【００６０】
ネットワーク管理装置５は、判定サーバ４から受信した判定結果に基づき、アクセスポイント７２が接続された電力供給兼用のポート３２の電力供給を停止する指令を生成し、ネットワーク中継装置３に送信する（Ｓ３３）。ネットワーク中継装置３は、ネットワーク管理装置５から受信した指令に基づき、アクセスポイント７２が接続された電力供給兼用のポート３２の電力供給を停止する（Ｓ４３）。
【００６１】
これによると、アクセスポイント７２と離れた位置にある通信機器２の操作によって、アクセスポイント７２の電力供給を停止することができるので、利便性の向上を図ることが可能となる。
【００６２】
［第３具体例］
以下、第３具体例について説明する。図１０及び図１１は、第３具体例を説明するための図である。
【００６３】
図１０に示すように、第３具体例では、ネットワーク中継装置３の電力供給兼用のポート３２にネットワークケーブルを介して受電機器としての照明７３が接続されており、通信機器２は、照度センサ等のセンサ２１によって照明７３の稼働状態を検出し、稼働検出信号を送信する。
【００６４】
図示の例では、ルームＡにネットワーク管理装置５が配置され、ルームＢにネットワーク中継装置３、照明７３及び通信機器２が配置されている。上記第２具体例と同様、ルームＡは、例えば職員室や守衛室などの施設管理者のための部屋であり、ルームＢは、例えば教室や体育館、会議室などの施設利用者が利用する部屋である。
【００６５】
図１１に示すように、まず、通信機器２は、照明７３の稼働状態を表す稼働検出信号を判定サーバ４に送信する（Ｓ１４）。稼働検出信号は、ＬＡＮからルータ６を経由して判定サーバ４に送信されてもよい。
【００６６】
判定サーバ４は、通信機器２から稼働検出信号を受信すると、所定時間が経過し且つ照明７３が点灯したままであるとの条件に対応する動作、ここでは照明７３の電力供給を停止する動作（図４のＮｏ．５を参照）、を判定結果としてアプレットＤＢ４５から読み出し、ネットワーク管理装置５に送信する（Ｓ２４）。
【００６７】
所定時間は、例えば予め定められた施設終了時間であってもよいし、他の装置等から取得されるルームＢの予定使用終了時間であってもよい。
【００６８】
ネットワーク管理装置５は、判定サーバ４から受信した判定結果に基づき、照明７３が接続された電力供給兼用のポート３２の電力供給を停止する指令を生成し、ネットワーク中継装置３に送信する（Ｓ３４）。ネットワーク中継装置３は、ネットワーク管理装置５から受信した指令に基づき、照明７３が接続された電力供給兼用のポート３２の電力供給を停止する（Ｓ４４）。
【００６９】
これによると、所定時間が経過しても照明７３が点灯したままである場合に照明７３の電力供給を停止することができるので、利便性の向上を図ることが可能となる。
【符号の説明】
【００７０】
１  ネットワーク制御システム、２  通信機器、２１  センサ、２２  キーシリンダ、２３  操作部、２ａ  鍵穴、３  ネットワーク中継装置、３１，３２  ポート、３３  ＣＰＵ、３４  メモリ、３５  スイッチコントローラ、３６  電力供給部、４  判定サーバ、４１  機器状態取得部、４２  使用可否判定部、４３  判定結果出力部、４４  中継部、４５  アプレットＤＢ、５  ネットワーク管理装置、５１  判定結果取得部、５２  指令生成部、５３  指令送信部、５４  ネットワークＤＢ、６  ルータ、７１  端末、７２  アクセスポイント、７３  照明
【図１】
2019213049.tif 000003
【図２】
2019213049.tif 000004
【図３】
2019213049.tif 000005
【図４】
2019213049.tif 000006
【図５】
2019213049.tif 000007
【図６】
2019213049.tif 000008
【図７】
2019213049.tif 000009
【図８】
2019213049.tif 000010
【図９】
2019213049.tif 000011
【図１０】
2019213049.tif 000012
【図１１】
2019213049.tif 000013